(57)【特許請求の範囲】
【請求項１】
生産設備を制御するシーケンサからなる第１制御装置と、この第１制御装置から上記生産設備のデータを取込む生産設備監視ソフトを有する第２制御装置とを備え、
上記生産設備監視ソフトは、上記生産設備のデータのうちそれぞれ必要なデータを表示する複数の画像パターンを有しており、該複数の画像パターンから選択された画像パターンを表示させる生産設備監視システムにおいて、
上記第１制御装置に、上記生産設備監視ソフトから選択された画像パターンに関連するツール選択データを記憶する記憶部を設ける一方、上記第２制御装置に、上記生産設備監視ソフトが備えない画像で上記生産設備のデータを表示するツールを設けるとともに、このツールによる補足画像の表示を制御するツール管理ソフトを設け、
上記ツール管理ソフトは、上記ツール選択データに関連付けしてツールを記憶しており、上記第１制御装置に記憶されたツール選択データを取込んで当該ツール選択データに関連するツールの補足画像を上記生産設備監視ソフトが表示した画像パターンに重ねて表示させることを特徴とする生産設備監視システム。
【請求項２】
生産設備を制御するシーケンサからなる第１制御装置と、この第１制御装置から上記生産設備のデータを取込む生産設備監視ソフトを有する第２制御装置とを備え、
上記生産設備監視ソフトは、上記生産設備のデータのうちそれぞれ必要なデータを表示する複数の画像パターンを有しており、該複数の画像パターンから選択された画像パターンを表示させる生産設備監視システムにおいて、
上記第２制御装置に、上記生産設備監視ソフトが備えない画像で上記生産設備のデータを表示するツールを設け、
また上記第１制御装置に、上記生産設備監視ソフトの画像パターンに関連付けしてツールを記憶するとともに、選択された画像パターンに対応するツール選択データを取込み、かつそのツール選択データに対して予め関連付けされたツールを選択するツール管理ソフトを設け、
上記ツール管理ソフトは、選択されたツール選択データを取込んでこれに該当するツールの補足画像を上記生産設備監視ソフトが表示した画像パターンに重ねて表示させることを特徴とする生産設備監視システム。
【請求項３】
上記ツール管理ソフトは、起動時間が長いツールについては、関連付けされているツール選択データが第１制御装置で記憶又は選択されていなくても画像を非表示状態として起動させていることを特徴とする請求項１および請求項２に記載の生産設備監視システム。
【発明の詳細な説明】
【０００１】
【発明の属する技術分野】
本発明は生産設備を監視する生産設備監視システムの改良に関する。
【０００２】
【従来の技術】
従来、生産設備を管理するシステムとして、生産設備を制御する第１制御装置と、この第１制御装置から上記生産設備のデータを取込む生産設備監視ソフトを有する第２制御装置とを備え、
上記生産設備監視ソフトは、上記生産設備のデータのうちそれぞれ必要なデータを表示する複数の画像パターンを有しており、該複数の画像パターンから選択された画像パターンを表示させるようにしたものは知られている。
【０００３】
【発明が解決しようとする課題】
しかしながら、生産設備監視ソフトの備える画像パターンでは表示できる内容に限界があるため、必要に応じてツールを別途追加して対応する場合が生じる。しかしながら、ツールを追加するにあたり、ツールと生産設備監視ソフトが連動していないと、オペレータの画像切換えの操作が分かりにくくなってしまうとともに画像を切換えるためのボタンの操作回数も多くなってしまうといった欠点がある。
上述した欠点を解決する手段として、生産設備監視ソフト側を書き換えてツールとの連動を図ることが考えられるが、自社製以外の生産設備監視ソフトのプログラムを書き換えるのは非常に困難であり、またこの書き換えによって予期せぬトラブルを誘発する危険性もある。
上述した事情に鑑み、本発明は、生産設備監視ソフト側の書き換えを行なうことなしに、生産設備監視ソフトとツールの連動を可能とした生産設備監視システムを提供するものである。
【０００４】
【課題を解決するための手段】
請求項１の発明では、生産設備を制御するシーケンサからなる第１制御装置と、この第１制御装置から上記生産設備のデータを取込む生産設備監視ソフトを有する第２制御装置とを備え、
上記生産設備監視ソフトは、上記生産設備のデータのうちそれぞれ必要なデータを表示する複数の画像パターンを有しており、該複数の画像パターンから選択された画像パターンを表示させる生産設備監視システムにおいて、
上記第１制御装置に、上記生産設備監視ソフトから選択された画像パターンに関連するツール選択データを記憶する記憶部を設ける一方、上記第２制御装置に、上記生産設備監視ソフトが備えない画像で上記生産設備のデータを表示するツールを設けるとともに、このツールによる補足画像の表示を制御するツール管理ソフトを設け、
上記ツール管理ソフトは、上記ツール選択データに関連付けしてツールを記憶しており、上記第１制御装置に記憶されたツール選択データを取込んで当該ツール選択データに関連するツールの補足画像を上記生産設備監視ソフトが表示した画像パターンに重ねて表示させるものである。
また請求項２の発明では、生産設備を制御するシーケンサからなる第１制御装置と、この第１制御装置から上記生産設備のデータを取込む生産設備監視ソフトを有する第２制御装置とを備え、
上記生産設備監視ソフトは、上記生産設備のデータのうちそれぞれ必要なデータを表示する複数の画像パターンを有しており、該複数の画像パターンから選択された画像パターンを表示させる生産設備監視システムにおいて、
上記第２制御装置に、上記生産設備監視ソフトが備えない画像で上記生産設備のデータを表示するツールを設け、
また上記第１制御装置に、上記生産設備監視ソフトの画像パターンに関連付けしてツールを記憶するとともに、選択された画像パターンに対応するツール選択データを取込み、かつそのツール選択データに対して予め関連付けされたツールを選択するツール管理ソフトを設け、
上記ツール管理ソフトは、選択されたツール選択データを取込んでこれに該当するツールの補足画像を上記生産設備監視ソフトが表示した画像パターンに重ねて表示させるものである。
【０００５】
上述した請求項１および請求項２によれば、生産設備監視ソフトの画像パターンを切換えるだけで、その切換えた画像パターンに関連するツールの画像がツール管理ソフトによって表示されるので、生産設備監視ソフトに対してツールを関連付けしない場合に比較してオペレータの操作を軽減することができる。
【０００６】
【発明の実施の形態】
以下図示実施例について本発明を説明すると、図１において、１はボトリングを行なう各生産設備を監視する生産設備監視システムである。この生産設備監視システム１は、各生産設備のそれぞれを個別に制御する図示しないシーケンサからデータを収集する第１制御装置としてのマスターシーケンサ２（Programable Controller）と、このマスターシーケンサ２から生産設備のデータを取込んで画面Ｍに表示する生産設備監視ソフト３を有する第２制御装置４（ＦＡパソコン）とを備えており、上記生産設備監視ソフト３は異なるパターンの画像Ａ〜Ｃを備えており、その画像パターンＡ〜Ｃの中からオペレータがいずれかの画像を入力手段Ｚにより選択して表示するようになっている。
上記生産設備監視ソフト３が表示する画像Ａ〜Ｃについて説明すると、図２の画像Ａ（以下監視画像Ａ）は、主要な設備を模式的に表示する画像であり、また図３の画像Ｂ（以下監視画像Ｂ）は、充填に関連する設備を中心として模式的に表示する画像であり、さらに図４の画像Ｃ（以下リセット画像Ｃ）は、各設備に関するいずれかの積算データを個別にリセットするための各ボタンを表示した画像であり、上記監視画像Ａと監視画像Ｂには後に詳述するがツールＴＡ、ＴＢによる補足画像Ａ´、Ｂ´が既に表示されている。
なお、上記画像Ａ、Ｂ、Ｃならびに補足画像Ａ´、Ｂ´、Ｃ´以外にも画像ならびに補足画像があるが、ここでの説明は省略する。
また、各生産設備の構成についても従来周知なので、ここでの説明は省略する。
【０００７】
上記生産設備監視ソフト３の監視画像Ａには、その画像の下側部分の中央に監視画像Ｂへの切換えボタンＳＢが表示されるとともに、その右隣にリセット画像Ｃへの切換えボタンＳＣが表示される一方、このボタンＳＣの右隣にツールＴＤによる補足画像Ｄ´の表示ボタンＳＤ´が表示され、さらに、監視画面Ａの左上の角には補足画像Ａ´を消去するための消去ボタンＳＯＡ´が表示されている。また監視画像Ｂには、その画像の下側の中央に監視画像Ａへの切換えボタンＳＡが表示されるとともに、その右隣にリセット画像Ｃへの切換えボタンＳＣが表示されており、また左上の角には補足画像Ｂ´を消去するための消去ボタンＳＯＢ´とその左側には消去した補足画像Ｂ´を再び表示するための表示ボタンＳＩＢ´が表示されている。
さらにリセット画像Ｃには、監視画像Ａへの切換えボタンＳＡが表示されるとともに、その右隣に監視画像Ｂへの切換えボタンＳＢが表示されている。
これにより監視画像Ａからリセット画像Ｃへの切換え或いはリセット画像Ｃから監視画像Ａへの切換えにあたっては、監視画像Ｂを経由する必要はない。
【０００８】
ところで、上記生産設備監視ソフト３としては、市販のＳＣＡＤＡ（Supervisory Control & Date Aquisition）ソフトを使用しているが、このＳＣＡＤＡソフトでは表示できるデータに限界がある。これにより表示できるデータ以外に必要なデータを画像として表示させるためには別途ツールを追加して対応しなければならない。
ところが、ＳＣＡＤＡソフトに登録することができるのはツールの起動と停止、または表示と非表示を制御するボタンのみである。
このため、オペレータはＳＣＡＤＡソフトの画像の切換えのみならず、ツールの起動と停止、または表示と非表示も行なわなければならず、画像の切換えが煩雑となっていた。
上述した問題を解決する手段として、ＳＣＡＤＡソフトの画像切換え時にそれまで起動していたツールを自動的に停止させて補足画像を非表示とする一方、ＳＣＡＤＡソフトの画像が切換わったら当該画像の表示内容に関連するツールを自動的に起動させて当該ツールの補足画像を表示させることが考えられる。
しかしながら、他社製のＳＣＡＤＡソフトには、そのような機能はなかった。しかして本発明は、３つのツールＴＡ、ＴＢ、ＴＤを設けるにあたり、生産設備監視ソフト３にツールＴＡとツールＴＢ、ツールＴＤを生産設備監視ソフトの備えるパターンの画像Ａ、Ｂ、Ｃの内容に応じていずれかに関連付けするとともに、この生産設備監視ソフト３の画像切換えに応じてそれに関連するツールＴＡ及び／又はツールＴＢの起動又は停止を自動的に行なって補足画像Ａ´及び／又は補足画像Ｂ´の表示と非表示を制御するツール管理ソフト５を設けたものである。
【０００９】
本実施例では、上記ツール管理ソフト５が生産設備監視ソフト３の表示している画像の切換えに伴い、生産設備監視ソフト３からシーケンサ２へと監視画像Ａ、監視画像Ｂ、リセット画像Ｃに関連付けしたツール選択データをシーケンサ２に対して出力してデータレジスタに記憶させている。
これにより上記ツール管理ソフト５は、シーケンサ２に記憶されたツール選択データを取込むことにより、補足画像Ａ´または補足画像Ｂ´を表示するか、或いは補足画像Ａ´及び／又は補足画像Ｂ´を非表示にするかを制御することができる。
つまり上記シーケンサ２には、ツール選択データを記憶するツール選択データ記憶部を本来の機能以外に別途設けたものである。
上記ツール選択データとしては、例えば選択されたツールに対応するデータレジスタを１とし、選択されなかったそれ以外のツールに対応するデータレジスタを０とする方法等を用いることができる。
なお、生産設備監視ソフト３は外部に接続される機器に対して信号を出力できる機能を元々備えており、つまりツール選択データをシーケンサ２に対して出力する設定自体は生産設備監視ソフト３のプログラムの書き換えではない。
そして本実施例では、最も表示する頻度の高い監視画像Ａに対して自動的にツールＴＡにより補足画像Ａ´が表示されるように関連付けされる一方（図２参照）、この監視画像Ａに対してはさらにツールＴＤが後述する品種設定ボタンＳＤ´を選択することにより補足画像Ｄ´が表示されるように関連付けされており（図５参照）、また監視画像Ｂに対してはツールＴＢが自動的に起動又は停止されて補足画面Ｂ´が表示又は非表示となるように関連付けされているが（図３参照）、監視画像Ｃに対してはツールの設定はなされていない。
なお上記生産設備監視ソフト３がシーケンサ２から取込む生産設備のデータについては、全ての生産設備のデータを取込んで画像の表示に必要となる分だけを抽出してもよいし、また生産設備監視ソフト３の表示している画像パターンに関係する生産設備のデータを抽出して取込んでもよい。
【００１０】
以上の構成を有する生産設備監視システム１について説明する。
先ず、生産設備監視システム１が起動されると、生産設備管理ソフト３が自発的に監視画像Ａに関連付けられたツール選択データをシーケンサ２に対して出力してデータレジスタに記憶させるとともに、シーケンサ２から取込んだ生産設備のデータを画像Ａとして画面Ｍに表示する。
他方ツール管理ソフト５は、シーケンサ２のデータレジスタから定期的にツール選択データを自発的に取込むようになっており、このときにはデータレジスタには、ツールＴＡ＝１、ツールＴＢ＝０、ツールＴＤ＝０という内容のツール選択データが書き込まれている。
これによりツール管理ソフト５は、監視画像Ａの内容に関連のあるツールＴＡを起動させて監視画像Ａの右上の角に生産状況を数値として示す補足画像Ａ´を自動的に表示する。
この品種設定ボタンＳＤ´は、他の監視画像ボタンＳＡ、監視画像ボタンＳＢ、リセット画像ＳＣと同様に入力手段Ｚによって選択するものである。
そして、上記品種設定ボタンＳＤ´が入力手段Ｚによりクリックされると、生産設備監視ソフト３からシーケンサ２に対してそれまでのツール選択データに替わるツール選択データ（ツールＴＡ＝０、ツールＴＢ＝０、ツールＴＤ）が出力される。これにより、ツール管理ソフト５は、ツールＴＤにより監視画像ボタンＳＢ、リセット画像ＳＣ、品種設定ボタンＳＤ´とを露出させるスペースだけを残して補足画像Ｄ´を表示する。
この補足画像Ｄ´では、入力手段Ｚによって品種の登録番号をクリック、例えば登録番号１０４番をクリックして品種４を生産することを決定する。
商品の選択が終了したら、入力手段Ｚにより補足画像Ｄ´のファイル（Ｆ）をクリックして終了メニュー（図示せず）を表示させるとともに、その終了メニューをクリックしてツールＴＤを停止させて補足画面Ｄ´を完全に消去して監視画像Ａと補足画像Ａ´の状態に戻すか、またはウィンドウ（Ｗ）をクリックして最小化メニュー（図示せず）を表示させるとともに、その最小化メニューをクリックして監視画像Ａの邪魔にならない位置へと縮小すればよい。
ところで、上記ツールＴＡにおいては、終了予定時刻等の煩雑な演算を行なうことから起動に時間がかかるため、本実施例では後に詳述する監視画像Ｂ又はリセット画像Ｃが表示されて監視画像Ａが非表示のときであっても例外的に起動させているが、このときにはツール管理ソフト５により補足画像Ａ´は最小化等により非表示となっている。
この補足画像Ａ´では、上記終了予定時刻を演算するために、予定バッチ数、バッチ本数等の条件を入力することができるようになっている。
【００１１】
また入力手段Ｚを介して監視画像Ａの監視画像ボタンＳＢがクリックされると、生産設備監視ソフト３からシーケンサ２に対してそれまでの監視画像Ａに関連付けされたツール選択データに替わり監視画像Ｂに関連付けされたツール選択データ（ツールＴＢ＝１、ツールＴＡ＝０、ツールＴＤ＝０）が出力されるとともに、画面Ｍに画像Ｂを表示する。
これによりツール管理ソフト５は、監視画像Ａに関連付けされたツールＴＡを起動させたままで補足画像Ａ´を自動的に最小化して非表示とするとともに、またツールＴＤを起動させているときには当該ツールＴＤを停止させて画面Ｍに表示又は最小化されて非表示の補足画像Ｄ´を画面Ｍから完全に消去する一方、監視画像Ｂに関連付けされたツールＴＢを起動させて監視画像Ｂのほぼ中央に横方向に伸びる細長い充填状況に関する補足画像Ｂ´を自動的に表示させる。
ここで、前回の生産状況を表示する補足画像Ａ´の場合とは異なり消去した補足画像Ｂ´を再度表示させる画像表示ボタンＳＩＢ´を表示するのは、監視画像Ｂの全体を見る頻度が監視画像Ａの場合よりも高いためである。
【００１２】
また上述した監視画像Ａ又は監視画像Ｂのリセット画像ボタンＳＣがクリックされると、生産設備監視ソフト３は、シーケンサ２に対してリセット画像Ｃに関連付けされたツール選択データ（ツールＴＡ＝０、ツールＴＢ＝０、ツールＴＤ＝０）を出力するとともに、画像Ｃを画面Ｍに表示する。
他方ツール管理ソフト５は、前回の監視画像Ａに関連付けされたツールＴＡの補足画像Ａ´を最小化して非表示とするとともに、ツールＴＤを起動させている場合には停止させて補足画像Ｄ´を画面Ｍから消去するか、又は監視画像Ｂに関連付けされたツールＴＢを停止させて補足画面Ｂ´を画面Ｍから消去する。
そして、このリセット画像Ｃから監視画像Ａ又は監視画像Ｂへの切換えを行なった場合にも、上記ツール管理ソフト５により監視画像Ａ又は監視画像Ｂに関連した補足画像が表示されるものである。
【００１３】
以上の説明より理解されるように、オペレータが生産設備監視ソフト３の画像Ｂ又は画像ＣにおけるボタンＳＡをクリックしたときには、ツール管理ソフト５は、それまで画像Ｂが表示されていれば、関連するツールＴＢを停止させて画像Ｂと共に補足画像Ｂ´を消去する一方、非表示状態となっていたツールＴＡによる補足画像Ａ´を画像Ａに重ねて表示する。また、画像Ａ又は画像ＣにおけるボタンＳＢをクリックしたときには、それまで画像Ａが表示されていれば、関連するツールＴＡを起動させたまま補足画像Ａ´を非表示とするとともに、またはツールＴＤが起動されていればこれを停止させて画像Ａと共に補足画像Ｄ´を消去する一方、ツールＴＢを起動させて補足画像Ｂ´を画像Ｂに重ねて表示する。さらには、画像Ａに補足画像Ａ´が重ねて表示されている状態において消去ボタンＳＯＡ´をクリックすると、補足画像Ａ´だけを消去することができ、または画像Ｂに補足画像Ｂ´が重ねて表示されている状態において消去ボタンＳＯＢをクリックすると、補足画像Ｂ´だけを消去することができるし、画像Ｂにおける表示ボタンＳＩＢ´をクリックすることにより画像Ｂに重ねて補足画像Ｂ´を重ねて表示させることができるので、ツールＴＡ、ＴＢ、ＴＤを生産設備ツール管理ソフト５に関連付けしない場合に比較してオペレータの画像切換え操作を軽減することができ、しかも、その軽減効果は特に画像の種類が多い場合に有効である。
【００１４】
なお上記実施例では、各生産設備を制御するシーケンサのデータを収集するマスターシーケンサ２を設けていたがこれに限定されるものではなく、マスターシーケンサ２を省略して生産設備監視ソフト３と各個別のシーケンサとの間で直接データを交信してもよいが、この場合にはいずれか１つのシーケンサを選択して当該シーケンサにツール選択データを記憶する機能を付加すればよい。
【００１５】
また本実施例としては、生産設備監視システムとしてＦＡパソコンを使用していたが、パーソナルコンピュータ又はボックスコンピュータとしてもよい。
【００１６】
さらに上記実施例では、シーケンサ２の外部であるＦＡパソコン４にツール管理ソフト５を設けていたが、シーケンサ２にその機能を持たせてもよい。
【００１７】
【発明の効果】
以上のように、本発明によれば、生産設備監視ソフトの画面に対してツールが関連付けされているので、生産設備監視ソフトの画面に対してツールを関連付けしない場合に比較してオペレータの画像切換えの操作を軽減することができるという効果が得られる。
【図面の簡単な説明】
【図１】本発明の一実施例を示す生産設備監視システム１の系統図。
【図２】生産設備監視ソフト３の監視画像Ａ上にツールＴＡの補足画像Ａ´を重ねて表示した状態を示した図。
【図３】生産設備監視ソフト３の監視画像Ｂ上にツールＴＢの補足画像Ｂ´を重ねて表示した状態を示した図。
【図４】生産設備監視ソフト３のリセット画像Ｃを示した図。
【図５】生産設備監視ソフト３の監視画像Ａ上にツールＴＤの補足画像Ｄ´を重ねて表示した状態を示した図。
【符号の説明】
１…生産設備監視システム
２…シーケンサ（第１制御装置）
３…生産設備監視ソフト
４…第２制御装置
５…ツール管理ソフト
【図１】
0003890917.tif 000002
【図２】
0003890917.tif 000003
【図３】
0003890917.tif 000004
【図４】
0003890917.tif 000005
【図５】
0003890917.tif 000006